(57)【特許請求の範囲】
【請求項１】
円筒状のガイド筒部(8)の筒壁に縦長孔状のガイド縦孔(9)を開設した内筒体(7)に、内周面に螺旋溝(3)を刻設した外筒体(1)を相対回動可能かつ抜け出し不能に外装組付けすると共に、外周面に突設した螺合突片(14)を、前記ガイド縦孔(9)を突き抜けて螺合溝(3)に螺合させた受皿体(12)を昇降変位可能に内装組付けし、前記外筒体(1)を覆って着脱するキャップ(18)により開閉される棒状化粧料繰り出し容器において、前記外筒体(1) とキャップ(18)を透明とし、また前記外筒体(1)の内周面に、前記螺旋溝(3)と平行に多数の螺旋細溝(4)を刻設した棒状化粧料繰り出し容器。
【請求項２】
外筒体(1)とキャップ(18)に加えて、内筒体(7)も透明とした請求項１記載の棒状化粧料繰り出し容器。
【発明の詳細な説明】
【０００１】
【発明の属する技術分野】
本発明は、収納内容物である棒状化粧料を、閉状態のまま外部から観察することができる棒状化粧料繰り出し容器に関するものである。
【０００２】
【従来の技術】
棒状化粧料繰り出し容器として、相対回動自在かつ抜け出し不能に外筒体を外装した内筒体に、棒状化粧料を搭載保持する筒状の受皿体を昇降変位自在に内装し、受皿体の外周面に突設した螺合突片を、縦長孔状に開設された内筒体のガイド縦孔を突き抜けて、外筒体の内周面に刻設された螺旋溝に螺合させて構成したものが知られている。
【０００３】
この繰り出し容器は、外筒体と内筒体との相対回動により受皿体を昇降変位させ、この受皿体の昇降変位により、棒状化粧料を内筒体から出し入れするものとなっている。
【０００４】
繰り出し容器に収納保持される棒状化粧料は、きわめて柔らかく、他の物品との接触で簡単に型崩れしてしまい、また成形材料中に油性揮発成分を含んでいることから、密に近い状態で収納保持されるのが望ましく、このためキャップを装着した状態で陳列されている。
【０００５】
そして、収納されている棒状化粧料の色合い等の確認および識別は、一緒に陳列されているサンプル製品により行うものとなっていた。
【０００６】
【発明が解決しようとする課題】
このように、上記した従来技術にあっては、陳列された繰り出し容器に収納されている棒状化粧料の色合い等の確認および識別を、この棒状化粧料の直接観察により達成するのではなく、サンプル製品の観察により間接的に達成するものとなっているので、棒状化粧料の色合い等の確認および識別に大きな不安および不満が残る、と云う問題があった。
【０００７】
このような不安および不満を解消する手段として、商品である棒状化粧料繰り出し容器を簡単に開閉できる状態とし、収納されている棒状化粧料を直接観察できるようにしている場合もあるが、この手段にあっては、棒状化粧料の直接観察を達成できるものの、開閉により、油性揮発成分の揮発が大きなり、ホコリ等の付着する恐れがあり、さらに他の物品との接触により型崩れ、傷付きの発生する恐れがある、と云う問題があった。
【０００８】
また、上記手段とは別に、棒状化粧料を、“オジーブ”と称する透明な型枠を組付けたまま棒状化粧料繰り出し容器に収納することにより、“オジーブ”で密封状態を維持したまま、棒状化粧料を直接観察できるようにしたものがあるが、このものは商品購入後は不要となる専用部品である“オジーブ”を必要とすることから、一つの容器の原材料単価が高くなる、と云う問題があった。
【０００９】
さらには、最も簡単な手段として、棒状化粧料繰り出し容器の少なくとも外筒体を透明にする手段が考えられるが、外筒体を透明とすると、この外筒体の内周面に刻設された螺旋溝が容器に外観として現出してしまい、これにより容器の外観体裁が劣悪となる恐れがある、と云う問題が生じる。
【００１０】
そこで、本発明は、上記した従来技術における問題点を解消すべく発明されたもので、棒状化粧料繰り出し容器の外観体裁を劣化させることなく、繰り出し容器を閉状態にしたまま、収納されている棒状化粧料の色合い等を確認および識別できるようにすることを技術的課題とし、もって棒状化粧料の品質を劣化させることなく、かつ容器の原材料単価を高くすることなく、収納された棒状化粧料の色合い等を正確にかつ確実に識別できるようにすることを目的とする。
【００１１】
【課題を解決するための手段】
上記技術的課題を解決する本発明の内、請求項１記載の発明の手段は、
円筒状のガイド筒部の筒壁に縦長孔状のガイド縦孔を開設した内筒体に、内周面に螺旋溝を刻設した外筒体を相対回動可能かつ抜け出し不能に外装組付けすると共に、外周面に突設した螺合突片を、内筒体のガイド縦孔を突き抜けて外筒体の螺合溝に螺合させた受皿体を昇降変位可能に内装組付けし、外筒体を覆って着脱するキャップにより開閉される棒状化粧料繰り出し容器であること、
外筒体およびキャップを透明とすること、
外筒体の内周面に、螺旋溝と平行に多数の螺旋細溝を刻設すること、
にある。
【００１２】
繰り出し容器は、外筒体およびキャップが透明であるので、キャップを装着した閉状態であっても、上方からはキャップを透して、内筒体の上端開口部から、また側方からはキャップおよび外筒体を透して、内筒体のガイド縦孔から、収納されている化粧料を視認することができ、これにより化粧料の色合い等を、正確にかつ明確に識別することができる。
【００１３】
閉状態の繰り出し容器を側方から見ると、外筒体の内周面に刻設された螺旋溝が螺旋ラインとして見えるが、この螺旋溝が描く螺旋ラインと一緒に、多数の螺旋細溝が描く螺旋ラインも一体的に見えることになるので、全体として螺旋縞模様を描くことになり、好ましい装飾効果を現出する。
【００１４】
繰り出し容器を閉状態としたまま、収納されている化粧料を外部から目視することができるので、繰り出し容器全体を、透明なシールフィルムで覆って密閉しても、化粧料の目視は支障なく達成できる。
【００１５】
請求項２記載の発明は、請求項１記載の発明に、外筒体とキャップに加えて、内筒体も透明とした、ことを加えたものである。
【００１６】
この請求項２記載の発明にあっては、内筒体のガイド縦孔に特定されることなく、側方全周範囲から化粧料を視認することができ、これにより収納されている化粧料の識別を、簡単に行うことができる。
【００１７】
【発明の実施の形態】
以下、本発明の一実施例を、図面を参照しながら説明する。
本発明の繰り出し容器は、化粧料Ｋを繰り出し可能に収納する、外筒体１と内筒体７と受皿体１２とを主要構成部分とした容器本体と、この容器本体を、被嵌状に着脱することにより開閉するキャップ１８とから構成されている。
【００１８】
容器本体の外筒体１は、円筒形状をしていて、下端部に、内周面に係止突条６を設けて、内筒体７への回動可能で抜け出し不能な組付き部分である係止筒部５を形成し、残部を、内周面に二条の螺旋溝３を刻設すると共に、この螺旋溝３と平行に多数の螺旋細溝４を刻設した螺合筒部２とし、その全体を透明な硬質合成樹脂材料で成形している。
【００１９】
内筒体７は、その全体が円筒形状をしていて、外筒体１が回動可能に外嵌するガイド筒部８の略全高さ範囲にわたって縦長孔状の一対のガイド縦孔９を開設すると共に、このガイド筒部８の下端部に、外筒体１の係止突条６が抜け出し不能に係止する係止周溝１０を設け、このガイド筒部８の下端から、外筒体１外に延出する肉厚な止着部１１を連設し、その全体を透明な硬質合成樹脂材料で成形している。
【００２０】
受皿体１２は、内筒体７内を摺動昇降変位可能な円筒形状をした保持筒１３に底板１５を連設し、保持筒１３の外周面に、内筒体７のガイド縦孔９を突き抜けて外筒体１の螺旋溝３に螺合する、一対の螺合突片１４を突設して構成されている。
【００２１】
内筒体７の止着部１１は、外筒体１の外径よりもわずかに大きい内径を有する有底円筒形状をした把持筒１６に、強固に嵌入組付きするので、この把持筒１６と外筒体１とを相対回動させることにより、外筒体１と内筒体７とが相対回動して、内筒体７内で受皿体１２を昇降変位させることになる。
【００２２】
この把持筒１６の上端部には、外周面に縮径段部を形成することにより嵌合部１７が設けられており、この嵌合部１７に、有頂円筒形状をした透明合成樹脂製のキャップ１８が、外筒体１に被嵌する状態で着脱自在に組付き、このキャップ１８の着脱により容器本体の開閉が達成される。
【００２３】
外筒体１の内周面に刻設された螺旋溝３および螺旋細溝４は、外筒体１の外から見ると、一体となって螺旋縞模様Ｍを描いて、特有の装飾効果を現出する。
【００２４】
キャップ１８、外筒体１そして内筒体７のそれぞれが透明であるので、キャップ１８が装着された閉状態であっても、キャップ１８と外筒体１と内筒体７を透して、透明な螺旋縞模様Ｍ越しに化粧料Ｋを、直接目視することができ、これにより化粧料Ｋの色合い等を直に視認することができる。
【００２５】
なお、キャップ１８、外筒体１そして内筒体７は、外部から化粧料Ｋを目視することを可能とする範囲で、一部だけを透明に構成することが可能である。
【００２６】
【発明の効果】
本発明は、上記した構成となっているので、以下に示す効果を奏する。
請求項１記載の発明にあっては、繰り出し容器が閉状態であっても、内筒体のガイド縦孔から収納した化粧料を視認することができるので、購入時における化粧料の色合い等の識別確認を正確にかつ確実に達成することができ、もって所望する化粧料の購入を安心してかつ確信を持って行うことができる。
【００２７】
また、収納されている化粧料の色合い等の確認のため、繰り出し容器を開放する必要がなく、閉鎖した状態のままで良いので、化粧料の強固で確実な密閉収納を達成することができ、もって化粧料を長期間にわたり高い品質に保持することができると共に、安全に収納することができる。
【００２８】
そして、繰り出し容器の外観として、外筒体の螺旋溝が、それ単独で不体裁な螺旋ラインとして出現することがなく、多数の螺旋細溝と組み合わさって、螺旋縞模様を描き出し、もって特有な装飾効果を現出することができる。
【００２９】
さらに、キャップおよび外筒体を透明とし、外筒体の内周面に多数の螺旋細溝を刻設しただけで、特別な専用部材を設ける必要がなく、もって繰り出し容器製造のための原材料単価が高くなると云う不都合の発生はない。
【００３０】
請求項２記載の発明にあっては、繰り出し容器の側方全周範囲から収納化粧料を視認することができるので、商品としての繰り出し容器の陳列取扱いを、容易で良好なものとすることができる。
【図面の簡単な説明】
【図１】本発明の一実施例を示す、閉状態で半縦断した全体正面図。
【図２】図１に示す実施例における外筒体の、半縦断面図。
【図３】図１に示す実施例における外筒体の、拡大平断面図。
【符号の説明】
１  ；  外筒体
２  ；  螺合筒部
３  ；  螺旋溝
４  ；  螺旋細溝
５  ；  係止筒部
６  ；  係止突条
７  ；  内筒体
８  ；  ガイド筒部
９  ；  ガイド縦孔
１０；  係止周溝
１１；  止着部
１２；  受皿体
１３；  保持筒
１４；  螺合突片
１５；  底板
１６；  把持筒
１７；  嵌合部
１８；  キャップ
Ｋ  ；  化粧料
Ｍ  ；  螺旋縞模様
【図１】
0003919150.tif 000002
【図２】
0003919150.tif 000003
【図３】
0003919150.tif 000004